(57)【要約】【課題】簡単な構造を用いて、大型化を招くことなく移動視標の移動を可能にすることができる検眼装置を提供する。【解決手段】視標呈示装置１３の表示画面１５の上下方向に伸び且つ該表示画面の横方向に互いに間隔をおいて配置される線状の一対の固定視標部３６と、互いに異なる色が付され、各固定視標部３６とほぼ同一形状をなした一対の移動視標部３７ａ，３７ｂとを表示画面１５に表示させ、更に、各固定視標部３６間の中心Ｃからの各移動視標部３７ａ，３７ｂの距離が互いに等しくなるように表示画面１５への各移動視標部３７ａ，３７ｂの表示位置をそれぞれ表示画面の横方向に沿って連続的に変化させる。【選択図】図７
2009060941.tif 000002
【特許請求の範囲】
【請求項１】
被検眼に呈示する各種の視標が表示される液晶表示部と、該液晶表示部の作動を制御する制御部とを備え、該制御部は、前記液晶表示部の上下方向に伸び且つ該液晶表示部の横方向に互いに間隔をおいて配置される線状の一対の固定視標部を前記液晶表示部に表示すると共に、互いに異なる色が付され、前記各固定視標部とほぼ同一形状をなした一対の移動視標部を前記液晶表示部に表示させ、更に、前記各固定視標部間の中心からの前記各移動視標部の距離が互いに等しくなるように前記液晶表示部への前記各移動視標部の表示位置をそれぞれ前記液晶表示部の横方向に沿って連続的に変化させることを特徴とする検眼装置。
【請求項２】
被検眼に呈示する各種の視標が表示される液晶表示部と、該液晶表示部の作動を制御する制御部とを備え、該制御部は、前記液晶表示部の上下方向に伸び且つ該液晶表示部の横方向に互いに間隔をおいて配置される線状の一対の固定視標部と、前記液晶表示部の上下方向に伸び、複数の切れ目が所定の間隔をおいて形成された破線状の第一の移動視標部と、前記液晶表示部の上下方向に伸び、複数の切れ目が前記第一の移動視標部の前記各切れ目以外の部分に対応する位置に形成された破線状の第二の移動視標部とを前記液晶表示部に表示させると共に、前記各固定視標部間の中心からの前記第一及び第二の各移動視標部の距離が互いに等しくなるように前記液晶表示部への前記第一及び第二の各移動視標部の表示位置をそれぞれ前記液晶表示部の横方向に沿って連続的に変化させ、前記液晶表示部には、前記第一の移動視標部の前記各切れ目及び該各切れ目に対応する前記第二の移動視標部の各部分をそれぞれ覆う第一偏光部分と、前記第二の移動視標部の前記各切れ目及び該各切れ目に対応する前記第一の移動視標部の各部分をそれぞれ覆う第二偏光部分とを有し、前記第一偏光部分と前記第二偏光部分とで偏光軸の方向が互いに異なる偏光板が設けられていることを特徴とする検眼装置。
【発明の詳細な説明】
【技術分野】
【０００１】
本発明は、被検眼の視機能を検査するための検眼装置であって立体物を見たとき視機能である深視力の測定を行う機能を有する検眼装置に関する。
【背景技術】
【０００２】
従来、例えば大型免許や第２種免許等を取得する際に実施される深視力測定を行う機能を有する検眼装置が知られている（例えば、特許文献１参照。）。この検眼装置は、ハウジング内に固定され、該ハウジングの上下方向に伸び且つその横方向にそれぞれ間隔をおいて配置された棒状の一対の固定視標部材と、該各固定視標部材間に配置され、移動視標を表示する液晶板とを備える。更に、検眼装置は、液晶板をハウジングの前後方向に移動させるための移動機構と、液晶板に表示された移動視標と各固定視標部材とを被検眼に呈示するための呈示板に投影するための投影機構とを備える。液晶板を前後方向に移動させることにより、呈示板に投影される移動視標の大きさが変化するので、被検眼には、呈示板に表示された移動視標が前後方向に移動しているように見える。
【０００３】
このような検眼装置を用いて被検眼の深視力を測定する際、液晶板に表示された移動視標と各固定視標部材とをそれぞれ投影機構により呈示板に投影することにより被検眼に呈示した状態で移動機構の作動により液晶板を前後方向に沿って移動させる。検者は、呈示板に投影された移動視標の像が各固定視標部材の像と横並びになったと被検者が判断したときに被検者に合図させる。そのときの液晶板と各固定視標部材との前後方向の位置ずれ量から、被検眼の深視力の良否を判断することができる。
【特許文献１】特開２００１−２５８８４０号公報
【発明の開示】
【発明が解決しようとする課題】
【０００４】
しかしながら、呈示板に表示された移動視標像が前後方向に移動しているように被検眼に見せるために、移動視標が表示される液晶板を移動させるための移動機構と、液晶板に表示された移動視標と各固定視標部材とをそれぞれ呈示板に投影するための投影機構とが必要であることから、測定装置全体の構造が複雑になる。
【０００５】
また、移動視標像が前後方向に移動しているように被検眼に見せるために、液晶板の配置位置を変化させる必要があることから、液晶板の変位が許容される大きさの奥行寸法をハウジングに確保する必要がある。このため、呈示板に投影された移動視標像の前後方向の移動量を増大させるべく液晶板の移動量を増大させる場合、ハウジングの奥行き寸法を大きくする必要があり、検眼装置の大型化を招く。
【０００６】
そこで、本発明の目的は、簡単な構造を用いて、大型化を招くことなく移動視標の移動を可能にすることができる検眼装置を提供することにある。
【課題を解決するための手段】
【０００７】
上記課題を解決するために、請求項１に記載の発明は、被検眼に呈示する各種の視標が表示される液晶表示部と、該液晶表示部の作動を制御する制御部とを備え、該制御部は、前記液晶表示部の上下方向に伸び且つ該液晶表示部の横方向に互いに間隔をおいて配置される線状の一対の固定視標部を前記液晶表示部に表示すると共に、互いに異なる色が付され、前記各固定視標部とほぼ同一形状をなした一対の移動視標部を前記液晶表示部に表示させ、更に、前記各固定視標部間の中心からの前記各移動視標部の距離が互いに等しくなるように前記液晶表示部への前記各移動視標部の表示位置をそれぞれ前記液晶表示部の横方向に沿って連続的に変化させることを特徴とする。
【０００８】
請求項２に記載の発明は、被検眼に呈示する各種の視標が表示される液晶表示部と、該液晶表示部の作動を制御する制御部とを備え、該制御部は、前記液晶表示部の上下方向に伸び且つ該液晶表示部の横方向に互いに間隔をおいて配置される線状の一対の固定視標部と、前記液晶表示部の上下方向に伸び、複数の切れ目が所定の間隔をおいて形成された破線状の第一の移動視標部と、前記液晶表示部の上下方向に伸び、複数の切れ目が前記第一の移動視標部の前記各切れ目以外の部分に対応する位置に形成された破線状の第二の移動視標部とを前記液晶表示部に表示させると共に、前記各固定視標部間の中心からの前記第一及び第二の各移動視標部の距離が互いに等しくなるように前記液晶表示部への前記第一及び第二の各移動視標部の表示位置をそれぞれ前記液晶表示部の横方向に沿って連続的に変化させ、前記液晶表示部には、前記第一の移動視標部の前記各切れ目及び該各切れ目に対応する前記第二の移動視標部の各部分をそれぞれ覆う第一偏光部分と、前記第二の移動視標部の前記各切れ目及び該各切れ目に対応する前記第一の移動視標部の各部分をそれぞれ覆う第二偏光部分とを有し、前記第一偏光部分と前記第二偏光部分とで偏光軸の方向が互いに異なる偏光板が設けられていることを特徴とする。
【発明の効果】
【０００９】
請求項１に記載の発明によれば、液晶表示部には、その上下方向に伸び且つ該液晶表示部の横方向に互いに間隔をおいて配置される線状の一対の固定視標部と、互いに異なる色が付され、各固定視標部とほぼ同一形状をなした一対の移動視標部とがそれぞれ表示される。
【００１０】
このことから、例えば各移動視標部のうち一方の移動視標部の色と同一の色が付された右眼用フィルタと他方の移動視標部の色と同一の色が付された左眼用フィルタとを通して各移動視標部を見たとき、右眼には前記他方の移動視標部が見え、左眼には前記一方の移動視標部が見える。これにより、左右の眼がそれぞれ取得する網膜像の空間的なずれを利用して二次元の画像である各移動視標部を融像することにより立体像を形成することができる。
【００１１】
また、液晶表示部への各移動視標部の表示位置は、各固定視標部間の中心からの各移動視標部の距離が互いに等しくなるように液晶表示部の横方向に沿って連続的に変化することから、各移動視標部の変位により、右眼及び前記他方の移動視標部を通る線分と左眼及び前記一方の移動視標部を通る線分との交点である融像位置が液晶表示部の前後方向に連続的に変化する。これにより、各移動視標部から形成される立体像の形成位置が各移動視標部の変位により液晶表示部の前後方向に連続的に変化するので、前記各フィルタを通して各移動視標部を見ている被検眼には、立体像が液晶表示部の前後方向に移動しているように見える。
【００１２】
従って、被検眼の深視力を測定する際、各固定視標部及び各移動視標部をそれぞれ液晶表示部に表示することにより前記各フィルタを通して被検眼に見せた状態で各移動視標部の表示位置を変化させ、被検者に立体像が両側の二つの固定視標部と横並びになったと判断したときに合図させることにより、被検眼の深視力の良否を判断することができる。
【００１３】
これにより、液晶表示部に表示された移動視標部が前後方向に移動しているように被検眼に見せるために、従来のような移動機構や投影機構を設ける必要はないので、移動機構及び投影機構を設ける場合に比べて検眼装置全体の構造を簡単にすることができる。
【００１４】
また、前記各線分の交点である融像位置に応じてすなわち各固定視標部間の中心からの各移動視標部の移動位置に応じて液晶表示部の前後方向に沿った前記立体像の位置が変化することから、各固定視標部間の中心からの各移動視標部の移動量を増大させることにより、液晶表示部の前後方向に沿った立体像の移動量を増大させることができる。これにより、呈示板に投影された移動視標像を前後方向に移動させるために液晶板の配置位置を変化させる従来の場合とは異なり、従来の移動視標像に相当する立体像の移動量を増大させるために検眼装置の奥行寸法を増大させる必要はない。従って、検眼装置の大型化を招くことなく、立体像の移動量を増大させることができる。
【００１５】
請求項２に記載の発明によれば、液晶表示部には、その上下方向に伸び且つ該液晶表示部の横方向に互いに間隔をおいて配置される線状の一対の固定視標部と、液晶表示部の上下方向に伸び、複数の切れ目が所定の間隔をおいて形成された破線状の第一の移動視標部と、液晶表示部の上下方向に伸び、複数の切れ目が第一の移動視標部の各切れ目以外の部分に対応する位置に形成された破線状の第二の移動視標部とがそれぞれ表示される。また、液晶表示部には、第一の移動視標部の各切れ目及び該各切れ目に対応する第二の移動視標部の各部分をそれぞれ覆う第一偏光部分と第二の移動視標部の各切れ目及び該各切れ目に対応する第一の移動視標部の各部分をそれぞれ覆う第二偏光部分とで偏光軸の方向が互いに異なる偏光板が液晶表示部を覆うように設けられている。
【００１６】
このことから、例えば第一偏光部分の偏光軸の方向と同一方向の偏光軸を有する右眼用フィルタと第二偏光部分の偏光軸の方向と同一方向の偏光軸を有する左眼用フィルタとを通して第一及び第二の各移動視標部をそれぞれ見たとき、右眼には、液晶表示部の領域のうち第一偏光部分で覆われた部分すなわち第二の移動視標部は見えず、第二偏光部分で覆われた部分すなわち第一の移動視標部が見える。他方、左眼には、第一の移動視標部は見えず第二の移動視標部が見える。これにより、左右の眼がそれぞれ取得する網膜像の空間的なずれを利用して二次元の画像である第一及び第二の各移動視標部を融像することにより立体像を形成することができる。
【００１７】
また、液晶表示部への第一及び第二の各移動視標部の表示位置は、各固定視標部間の中心からの第一及び第二の各移動視標部の距離が互いに等しくなるように液晶表示部の横方向に沿って連続的に変化することから、第一及び第二の各移動視標部の変位により、右眼及び第一の移動視標部を通る線分と左眼及び第二の移動視標部を通る線分との交点である融像位置が液晶表示部の前後方向に連続的に変化する。これにより、第一及び第二の各移動視標部から形成される立体像の形成位置が第一及び第二の各移動視標部の変位により液晶表示部の前後方向に連続的に変化するので、前記各フィルタを通して第一及び第二の各移動視標部を見ている被検眼には、立体像が液晶表示部の前後方向に移動しているように見える。
【００１８】
従って、被検眼の深視力を測定する際、各固定視標部と第一及び第二の各移動視標部とをそれぞれ液晶表示部に表示することにより前記各フィルタを通して被検眼に見せた状態で第一及び第二の各移動視標部の表示位置を変化させ、被検者に立体像が両側の二つの固定視標部と横並びになったと判断したときに合図させることにより、被検眼の深視力の良否を判断することができる。
【００１９】
これにより、液晶表示部に表示された移動視標部が前後方向に移動しているように被検眼に見せるために、従来のような移動機構や投影機構を設ける必要はないので、移動機構及び投影機構を設ける場合に比べて検眼装置全体の構造を簡単にすることができる。
【００２０】
また、前記各線分の交点である融像位置に応じてすなわち各固定視標部間の中心からの第一及び第二の各移動視標部の移動位置に応じて液晶表示部の前後方向に沿った前記立体像の位置が変化することから、各固定視標部間の中心からの第一及び第二の各移動視標部の移動量を増大させることにより、液晶表示部の前後方向に沿った立体像の移動量を増大させることができる。これにより、呈示板に投影された移動視標像を前後方向に移動させるために液晶板の配置位置を変化させる従来の場合とは異なり、従来の移動視標像に相当する立体像の移動量を増大させるために検眼装置の奥行寸法を増大させる必要はない。従って、検眼装置の大型化を招くことなく、立体像の移動量を増大させることができる。
【発明を実施するための最良の形態】
【００２１】
本発明を図示の実施例に沿って説明する。
【実施例】
【００２２】
本発明に係る検眼装置１０は、図１に示す例では、各種の視標１１を被検者１２の被検眼１２ａ，１２ｂ（図８参照。）に呈示するための視標呈示装置１３と、被検眼１２ａ，１２ｂの視機能を矯正するための矯正装置１４とを備える。
【００２３】
視標呈示装置１３は、視標１１が表示される表示画面１５を有する。表示画面１５は、液晶パネルで構成されており、表示画面１５に表示される視標１１は、後述するコントローラ１６の操作により選択される。
【００２４】
矯正装置１４は、視標呈示装置１３と被検者１２との間に配置された検眼テーブル１７に設けられたアーム１８に取り付けられており、左右方向に並べて配置された一対のフォロプタ１９を備える。
【００２５】
各フォロプタ１９は、それぞれ検眼窓２０が形成されたハウジング１９ａを備える。各ハウジング１９ａ内には、図示しないが従来と同様に、互いに屈折力の異なる複数の矯正レンズが周方向に沿って設けられた環状のレンズディスクが回転可能に収納されている。すなわち、矯正装置１４は、光学素子である前記矯正レンズを被検眼１２ａ，１２ｂと視標呈示装置１３との間に選択的に配置する光学素子配置装置を構成している。前記各矯正レンズは、前記コントローラ１６の制御下で前記レンズディスクの回転により各検眼窓２０内に選択的に配置される。
【００２６】
更に、本発明に係る検眼装置１０は、矯正装置１４及び視標呈示装置１３の作動を制御するための前記したコントローラ１６を備える。
【００２７】
コントローラ１６は、図２及び図３に示すように、検者２１（図１参照。）により操作される操作部２２と、該操作部の操作内容及び視標１１を示す操作画像をそれぞれ表示するための表示部２３とを有する。
【００２８】
また、コントローラ１６は、操作部２２の操作に基づいて視標呈示装置１３、矯正装置１４及び表示部２３の作動を制御する制御回路２４と、表示部２３、視標呈示装置１３及び制御回路２４に接続された画像出力部２５と、メモリ部２６とを有する。
【００２９】
更に、コントローラ１６は、図示の例では、立体物を見たとき被検眼１２ａ，１２ｂの視機能である深視力の検査を後述する深視力検査用視標１１ａを用いて行ったときに、被検者１２により操作される確認手段２７を有する。確認手段２７は、図３に示す例では、操作部２２に設けられた確認操作スイッチ２８で構成されている。
【００３０】
メモリ部２６には、図２に示すように、各種の検査に用いられる各種の視標１１を示す視標データ３２と、操作画像を示す操作画像データ３３と、各種の計算プログラム３４と、前記各矯正レンズの球面度数、乱視度数、軸角度等の屈折力を示すレンズデータ３５とがそれぞれ記憶されている。
【００３１】
視標データ３２には、前記した深視力検査用視標１１ａを示すデータが含まれている。
【００３２】
深視力検査用視標１１ａは、図４（ａ）に示す例では、上下方向に伸び且つ横方向に互いに間隔をおいて配置される線状の一対の固定視標部３６と、互いに異なる色が付され、各固定視標部３６とほぼ同一形状をなした一対の移動視標部３７ａ，３７ｂとを有する。各固定視標部３６及び各移動視標部３７ａ，３７ｂは、それぞれ後述するように視標呈示装置１３の表示画面１５に表示される。
【００３３】
一対の移動視標部３７ａ，３７ｂは、図４（ａ）に示す状態では、それぞれ各固定視標部３６間に該各固定視標部間の中心Ｃから等間隔をおいて配置されている。図示の例では、一対の移動視標部３７ａ，３７ｂのうち図４で見て左側に位置する一方の移動視標部３７ａには赤色が付されており、右側に位置する他方の移動視標部３７ｂには緑色が付されている。
【００３４】
操作部２２には、図３に示すように、ダイヤル３８等の検査の設定のための各種スイッチが設けられている。
【００３５】
ダイヤル３８は、後述する表示画面３９の屈折力表示欄４０に表示される球面度数、乱視度数及び軸角度等の数値を変更するときに回転操作される。
【００３６】
表示部２３は、図２及び図３に示すように、操作部２２の前記各スイッチの操作により設定された内容を示す操作画像が表示される前記した表示画面３９を有する。
【００３７】
表示画面３９は、図示の例では、液晶パネルで構成されている。表示画面３９には、図５に示すように、前記矯正レンズの球面度数、乱視度数及び軸角度等の屈折力が表示される前記した屈折力表示欄４０と、視標呈示部１３の表示画面１５に表示される視標１１を示す複数の視標画像４１の一覧が表示される一覧表示欄４２とが設けられている。
【００３８】
また、表示画面３９には、一覧表示欄４２から後述するように選択された視標画像４１に対応する視標１１を検者２１が確認することができるように、選択された視標１１を表示する視標表示欄４３が設けられている。
【００３９】
屈折力表示欄４０、一覧表示欄４２及び視標表示欄４３をそれぞれ示す画像、及び、各視標画像４１は、それぞれメモリ部２６に記憶された操作画像データ３３に含まれている。
【００４０】
また、本実施例では、表示画面３９上には、図示しないタッチパネルが設けられている。前記タッチパネルは、一覧表示欄４２上に配置されており、図示しないが従来よく知られているように、複数の導電膜ストライプが互いに平行に形成され且つ両端部に抵抗膜が設けられた透明のフィルムやガラス等の一対のパネル部材を各導電膜ストライプが互いに直交するように貼り合わせることにより形成されている。前記タッチパネルの表面が押下されたとき、前記各パネル部材に形成された前記各導電膜ストライプが互いに接触することによって電気的に導通することにより前記各抵抗膜に現れる電圧に基づいて、一方の前記パネル部材の複数の前記導電膜ストライプのうちのいずれの前記導電膜ストライプが他方の前記パネル部材の複数の前記導電膜ストライプのうちのいずれの前記導電膜ストライプに接触したことがタッチセンサ４４（図２参照。）により検出される。これにより、前記タッチパネルの押下された位置が特定される。従って、表示画面３９に表示された例えば一覧表示欄４２の各視標画像４１のうち検査に用いる視標１１を示す視標画像４１を表示画面３９上から押下することにより、検査に用いる視標１１を一覧表示欄４２から選択することができる。タッチセンサ４４は、押下された位置を検出すると、該押下位置を示す検出信号を制御回路２４に出力する。
【００４１】
制御回路２４は、図２に示すように、操作部２２及びタッチセンサ４４に接続された判定部４５と、メモリ部２６及び画像出力部２５に接続された抽出部４６と、画像出力部２５に接続された算出手段４７と、画像出力部２５に接続された移動表示手段４８とを備える。
【００４２】
判定部４５は、操作部２２のダイヤル３８が操作されたことを示す操作信号を操作部２２から受け、この操作信号に基づいてダイヤル３８の操作位置を判定し、その操作位置を示す操作位置信号を抽出部４６に出力する。
【００４３】
また、判定部４５は、例えば検眼装置１０の電源がＯＦＦ状態からＯＮ状態に切り替わったときにそのことを判定し、その旨を示す信号を抽出部４６に出力する。
【００４４】
更に、判定部４５は、前記タッチセンサ４４から押下位置を示す検出信号を受け、この検出信号に基づいて選択された視標画像４１がいずれの視標画像４１であるかを判定する。
【００４５】
また、判定部４５は、深視力検査時に前記した確認操作スイッチ２８が操作されたとき、操作されたときの各固定視標部３６間の中心Ｃからの各移動視標部３７ａ，３７ｂのそれぞれの距離を判定する。
【００４６】
抽出部４６は、検眼装置１０の電源がＯＦＦ状態からＯＮ状態に切り替わったときにそのことを示す信号を判定部４５から受けると、メモリ部２６から操作画像データ３３を読み込み、該操作画像データを表示画面３９に表示させる旨の操作画像信号を表示部２３に画像出力部２５を介して出力する。これにより、表示部２３の表示画面３９には、操作画像データ３３に含まれる屈折力表示欄４０、各視標画像４１、一覧表示欄４２及び視標表示欄４３がそれぞれ図５に示すように表示される。
【００４７】
また、抽出部４６は、判定部４５から受けるダイヤル３８の操作位置信号に基づいて操作位置に応じた屈折力を示すレンズデータ３５をメモリ部２６から抽出し、抽出したレンズデータ３５が示す屈折力を有する前記矯正レンズを各フォロプタ１９の検眼窓２０内に配置する旨の制御信号を矯正装置１４に画像出力部２５を介して出力し、更に、操作画像データ３３に含まれる屈折力表示欄４０にレンズデータ３５が示す屈折力を表示する旨の屈折力画像信号を表示部２３に画像出力部２５を介して出力する。これにより、ダイヤル３８の操作により選択された屈折力を有する前記矯正レンズが各フォロプタ１９の検眼窓２０内に配置される。また、屈折力表示欄４０には、図５に示すように、ダイヤル３８の操作により選択された前記矯正レンズの屈折力の値が表示される。
【００４８】
更に、抽出部４６は、判定部４５から受ける信号に基づいて、所定の視標１１に対応する視標データ３２をメモリ部２６から抽出する。
【００４９】
算出手段４７は、判定部４５から受ける信号に基づいて、被検眼１２ａ，１２ｂの視力値等を算出する。
【００５０】
移動表示手段４８は、深視力検査時に抽出部４６から受ける信号に基づいて、各移動視標部３７ａ，３７ｂを移動させるべく画像処理を施す。
【００５１】
以下、被検眼１２ａ，１２ｂの深視力を検査するときの制御回路２４による制御作用を図６のフローチャートに基づいて説明する。
【００５２】
検者２１は、深視力検査用視標１１ａ示す視標画像４１ａ（図５参照。）を一覧表示欄４２から選択すべく表示画面１５上を押下する。
【００５３】
制御回路２４は、タッチセンサ４４から押下位置を示す検出信号を判定部４５で受けると、検出信号に示された押下位置に基づいて、一覧表示欄４２から選択された視標画像４１がいずれの視標画像４１であるかを判定部４５で判定する（ステップＳ１）。判定部４５は、判定結果を示す信号を抽出部４６に出力する。
【００５４】
制御回路２４は、選択された視標画像４１を示す信号が判定部４５から抽出部４６に出力されると、判定部４５からの信号が示す視標画像４１に対応する視標データ３２すなわち深視力検査用視標１１ａに対応する視標データ３２をメモリ部２６から抽出部４６で抽出する（ステップＳ２）。
【００５５】
制御回路２４は、抽出した深視力検査用視標１１ａを視標表示欄４３及び表示画面１５にそれぞれ表示させる旨の視標画像信号を抽出部４６から表示部２３及び視標呈示装置１３にそれぞれ画像出力部２５を介して出力し、更に、深視力検査用視標１１ａが表示画面１５に表示されることを示す信号を抽出部４６から移動表示手段４８に出力する（ステップＳ３）。
【００５６】
移動表示手段４８は、抽出部４６から信号を受けると、各固定視標部３６間の中心Ｃからの各移動視標部３７ａ，３７ｂの距離が互いに等しくなった状態を維持した状態で表示画面１５への各移動視標部３７ａ，３７ｂの表示位置を表示画面１５の横方向に沿って連続的に変化させる画像処理を各移動視標部３７ａ，３７ｂの視標データ３２に施し、画像処理を施した各移動視標部３７ａ，３７ｂを表示画面１５に表示する旨の制御信号を視標呈示装置１３に画像出力部２５を介して出力する（ステップＳ４）。
【００５７】
これにより、表示部２３の視標表示欄４３には、図５に示すように、深視力検査用視標１１ａが表示され、視標呈示装置１３の表示画面１５には、図４（ａ）乃至（ｄ）に示すように、一対の固定視標部３６と、表示画面１５への表示位置が表示画面１５の横方向に順次変化することにより移動する各移動視標部３７ａ，３７ｂとが表示される。
【００５８】
各移動視標部３７ａ，３７ｂは、図示の例では、それぞれ各固定視標部３６間で、図４（ａ）に示す位置から互いに近づく方向へ移動し、図４（ｂ）及び（ｃ）に示す位置を経た後、互いに重なり合う。その後、各移動視標部３７ａ，３７ｂは、図４（ｄ）に示すように、それぞれ左右の位置が入れ替わり、互いに離反する方向へ移動する。
【００５９】
各移動視標部３７ａ，３７ｂの移動速度は、図示の例では、一定であり、各移動視標部３７ａ，３７ｂが図４（ａ）に示す位置から互いに重なり合う位置に移動する時間が約１０秒になるように設定されている。
【００６０】
表示画面１５に表示された深視力検査用視標１１ａを被検眼１２ａ，１２ｂに呈示する際、検者２１は、図７に示すように、赤緑眼鏡４９を被検者１２に装用させる。赤緑眼鏡４９は、前記一方の移動視標部３７ａの色すなわち赤色が付された左眼用フィルタ４９ａと前記他方の移動視標部３７ｂの色すなわち緑色が付された右眼用フィルタ４９ｂとを有する。
【００６１】
被検者１２は、赤緑眼鏡４９の各フィルタ４９ａ，４９ｂをそれぞれ通して各移動視標部３７ａ，３７ｂを見る。このとき、赤色の左眼用フィルタ４９ａを通して表示画面１５を見る左眼１２ｂには、赤色の前記一方の移動視標部３７ａは見えず、緑色の前記他方の移動視標部３７ｂが見える。他方、緑色の右眼用フィルタ４９ｂを通して表示画面１５を見る右眼１２ａには、緑色の前記他方の移動視標部３７ｂは見えず、赤色の前記一方の移動視標部３７ａが見える。これにより、左右の眼１２ａ、１２ｂがそれぞれ取得する網膜像に空間的なずれが生じるので、図７に示すように、二次元の画像である各移動視標部３７ａ，３７ｂを融像することにより立体像Ｆが形成される。
【００６２】
各移動視標部３７ａ，３７ｂをそれぞれ図４（ａ）乃至（ｄ）に示す順に表示画面１５の横方向に移動させると、図８（ａ）乃至（ｄ）に示すように、左眼１２ｂ及び前記他方の移動視標部３７ｂを通る線分と右眼１２ａ及び前記一方の移動視標部３７ａを通る線分との交点である融像位置Ｐが表示画面１５の前後方向に連続的に変化する。これにより、各移動視標部３７ａ，３７ｂから形成される立体像Ｆの形成位置が各移動視標部３７ａ，３７ｂの変位により表示画面１５の前後方向に連続的に変化する。従って、左眼用フィルタ４９ａ及び右眼用フィルタ４９ｂをそれぞれ通して各移動視標部３７ａ，３７ｂを見ている被検眼１２ａ，１２ｂには、立体像Ｆが表示画面１５の前後方向に移動しているように見える。各移動視標部３７ａ，３７ｂがそれぞれ各固定視標部３６間の中心Ｃ上で互いに重なり合ったとき、融像位置Ｐが各固定視標部３６間の中心Ｃに一致し、このとき、立体像Ｆが両側の二つの固定視標部３６と横並びになる。
【００６３】
検者２１は、立体像Ｆが両側の二つの固定視標部３６と横並びになったと被検者１２が判断したときに、確認操作スイッチ２８を被検者１２に操作させる。
【００６４】
制御回路２４は、確認操作スイッチ２８が操作されたか否かを判定部４５で判定する（ステップＳ５）。
【００６５】
制御回路２４は、確認操作スイッチ２８が操作されていないと判定部４５が判定した場合は、ステップＳ５を繰り返し行う。
【００６６】
他方、制御回路２４は、確認操作スイッチ２８が操作されたと判定部４５が判定した場合は、各固定視標部３６間の中心Ｃからの各移動視標部３７ａ，３７ｂの距離を判定部４５で判定し、その大きさを示す信号を判定部４５から算出手段４７に出力する（ステップＳ６）。
【００６７】
算出手段４７は、確認操作スイッチ２８の操作時における各固定視標部３６間の中心Ｃからの各移動視標部３７ａ，３７ｂの距離の大きさを示す信号を判定部４５から受けると、その値に基づき、立体像Ｆと各固定視標部３６間の中心Ｃとの距離すなわち各固定視標部３６の位置に対する立体像Ｆの位置の表示画面１５の前後方向のずれ量を算出する（ステップＳ７）。
【００６８】
図示の例では、被検者１２と表示画面１５との距離が２．５ｍのときの、各固定視標部３６間の中心Ｃからの各移動視標部３７ａ，３７ｂの距離と、左眼１２ｂ及び前記他方の移動視標部３７ｂを通る線分と右眼１２ａ及び前記一方の移動視標部３７ａを通る線分とのなす角度との関係を示すデータテーブルがメモリ部２６に予め記憶されている。算出手段４７によるずれ量の算出は、前記データテーブル及びメモリ部２６に記憶された計算プログラム３４を用いて実行される。
【００６９】
例えば、各固定視標部３６間の中心Ｃからの各移動視標部３７ａ，３７ｂの距離が３ｃｍであり、このときの前記角度が３０°であるとすると、ずれ量が約５．２ｃｍであると算出手段４７により算出される。
【００７０】
制御回路２４は、算出手段４７により算出されたずれ量を示す信号を算出手段４７から判定部４５に出力する（ステップＳ８）。
【００７１】
判定部４５は、算出手段４７からずれ量を示す信号を受けると、そのずれ量が所定の範囲内であるか否かを判定する（ステップＳ９）。前記所定の範囲は、図示の例では、＋２ｃｍ〜−２ｃｍである。
【００７２】
制御回路２４は、ずれ量が前記所定の範囲内ではないと判定部４５で判定した場合、図示しないが、例えば不合格である旨の表示を各表示画面１５，３９に表示する旨の制御信号を視標呈示装置１３及び表示部２３に出力することにより、各表示画面１５，３９に不合格表示をする。これにより、検査が不合格である旨を被検者１２及び検者２１に知らせる（ステップＳ１０）。また、制御回路２４は、ずれ量が前記所定の範囲内ではないと判定部４５で判定した場合、ステップＳ４〜ステップＳ９を繰り返し行う。
【００７３】
他方、制御回路２４は、ずれ量が前記所定の範囲内であると判定部４５で判定した場合、図示しないが、例えば合格である旨の表示を各表示画面１５，３９に表示する旨の制御信号を視標呈示装置１３及び表示部２３に出力することにより、各表示画面１５，３９に合格表示をする（ステップＳ１１）。これにより、検査が合格である旨を被検者１２及び検者２１に知らせる。
【００７４】
これにより、被検眼１２ａ，１２ｂの深視力の良否を判断することができ、被検眼１２ａ，１２ｂの深視力検査が終了する。
【００７５】
検査の合否を被検者１２及び検者２１に知らせるために、検査の合否を各表示画面１５，３９に表示することに代えて、又は、これに加えて、検査の合否を音声により被検者１２及び検者２１に知らせることもできる。
【００７６】
本実施例によれば、前記したように、視標呈示装置１３の表示画面１５に、一対の固定視標部３６と同時に、互いに異なる色が付され各固定視標部３６とほぼ同一形状をなした一対の移動視標部３７ａ，３７ｂを表示させることにより、赤緑眼鏡４９の各フィルタ４９ａ，４９ｂを通して各移動視標部３７ａ，３７ｂを見たとき、各移動視標部３７ａ，３７ｂを融像することにより立体像Ｆを形成することができる。
【００７７】
また、表示画面１５への各移動視標部３７ａ，３７ｂの表示位置を、各固定視標部３６間の中心Ｃからの各移動視標部３７ａ，３７ｂの距離が互いに等しくなるように表示画面１５の横方向に沿って連続的に変更することにより立体像Ｆの形成位置が表示画面１５の前後方向に連続的に変化するので、赤緑眼鏡４９の各フィルタ４９ａ，４９ｂを通して各移動視標部３７ａ，３７ｂを見ている被検眼１２ａ，１２ｂに、立体像Ｆが表示画面１５の前後方向に移動しているように見せることができる。
【００７８】
従って、被検眼１２ａ，１２ｂの深視力を測定する際、被検者１２に立体像Ｆが両側の二つの固定視標部３６と横並びになったと判断したときに合図させることにより、被検眼１２ａ，１２ｂの深視力の良否を判断することができる。
【００７９】
これにより、表示画面１５に表示された移動視標部３７ａ，３７ｂが前後方向に移動しているように被検眼１２ａ，１２ｂに見せるために、従来のような移動機構や投影機構を設ける必要はないので、移動機構及び投影機構を設ける場合に比べて検眼装置１０全体の構造を簡単にすることができる。
【００８０】
また、前記各線分の交点である融像位置に応じてすなわち各固定視標部３６間の中心Ｃからの各移動視標部３７ａ，３７ｂの移動位置に応じて表示画面１５の前後方向に沿った立体像Ｆの位置が変化することから、各固定視標部３６間の中心Ｃからの各移動視標部３７ａ，３７ｂの移動量を増大させることにより、表示画面１５の前後方向に沿った立体像Ｆの移動量を増大させることができる。これにより、呈示板に投影された移動視標像を前後方向に移動させるために液晶板の配置位置を変化させる従来の場合とは異なり、従来の移動視標像に相当する立体像Ｆの移動量を増大させるために視標呈示装置１３の奥行寸法を増大させる必要はない。従って、視標呈示装置１３の大型化を招くことなく、立体像Ｆの移動量を増大させることができる。
【００８１】
本実施例では、各移動視標部３７ａ，３７ｂのうち一方の移動視標部３７ａに赤色が付されており、他方の移動視標部３７ｂに緑色が付された例を示したが、これに代えて、互いに異なる色であれば、赤及び緑以外の色が付された移動視標部を本発明に適用することができる。この場合、深視力検査に用いられる赤緑眼鏡４９の各フィルタ４９ａ，４９ｂの色を適宜変更することができる。
【００８２】
また、本実施例では、深視力検査用視標１１ａが、上下方向に伸び且つ横方向に互いに間隔をおいて配置される線状の一対の固定視標部３６と、互いに異なる色が付され、各固定視標部３６とほぼ同一形状をなした一対の移動視標部３７ａ，３７ｂとを有する例を示したが、これに代えて、例えば図９（ａ）乃至（ｄ）に示すような深視力検査用視標１１ａを本発明に適用することができる。
【００８３】
図９（ａ）乃至（ｄ）に示す例では、深視力検査用視標１１ａは、表示画面１５の上下方向に伸び且つ該表示画面の横方向に互いに間隔をおいて配置される線状の一対の固定視標部５０と、表示画面１５の上下方向に伸び、複数の切れ目５１が所定の間隔をおいて形成された破線状の第一の移動視標部５２と、表示画面１５の上下方向に伸び、複数の切れ目５３が第一の移動視標部５２の各切れ目５１以外の部分５２ａに対応する位置に形成された破線状の第二の移動視標部５４とを有する。
【００８４】
第一及び第二の各移動視標部５２，５４は、図９（ａ）に示す状態では、それぞれ各固定視標部５０間に該各固定視標部間の中心Ｃから等間隔をおき且つ互いに平行に配置されている。図示の例では、図９（ａ）で見て左側に位置する第一の移動視標部５２の各切れ目５１以外の部分５２ａと右側に位置する第二の移動視標部５４の各切れ目５３以外の部分５４ａとが、それぞれ表示画面１５の上下方向に沿って配列された複数の画素に一画素おきに表示されるように表示画面１５に電圧が印加される。
【００８５】
表示画面１５への第一及び第二の各移動視標部５２，５４の表示位置は、前記したと同様に、深視力検査時に抽出部４６から受ける信号に基づいて移動表示手段４８による画像処理によって、各固定視標部５０間の中心Ｃからの第一及び第二の各移動視標部５２，５４の距離が互いに等しくなった状態を維持した状態で、表示画面１５の横方向に沿って連続的に変更される。これにより、第一及び第二の各移動視標部５２，５４は、それぞれ図９（ａ）に示す位置から互いに近づく方向へ移動し、図９（ｂ）及び（ｃ）に示す位置を経た後、互いに重なり合う。その後、第一及び第二の各移動視標部５２，５４は、図９（ｄ）に示すように、それぞれ左右の位置が入れ替わり、互いに離反する方向へ移動する。
【００８６】
また、図９に示す例では、表示画面１５上に、第一及び第二の各移動視標部５２，５４を覆う偏光板５５が設けられている。
【００８７】
偏光板５５は、図１０に示すように、それぞれに偏光軸（図１０に矢印で示されている。）が設定された複数の第一偏光部分５６及び複数の第二偏光部分５７を有する。
【００８８】
各第一偏光部分５６は、それぞれ表示画面１５の横方向に沿って伸び、第一の移動視標部５２の各切れ目５１及び該各切れ目に対応する第二の移動視標部５４の前記各部分５４ａをそれぞれ覆う。
【００８９】
各第二偏光部分５７は、それぞれ表示画面１５の横方向に沿って伸び、第二の移動視標部５４の各切れ目５３及び該各切れ目に対応する第一の移動視標部５２の前記各部分５２ａをそれぞれ覆う。
【００９０】
各第一偏光部分５６及び各第二偏光部分５７のそれぞれの伸長方向の長さ寸法は、それぞれ等しく、第一及び第二の各移動視標部５２，５４の移動範囲内で第一及び第二の各移動視標部５２，５４を覆う大きさを有する。
【００９１】
第一偏光部分５６に設定された偏光軸は、第二偏光部分５７に設定された偏光軸と９０度ずれている。すなわち、偏光板５５には、互いに直交する二つの方向の偏光軸が上下方向に沿って交互になるように設定されている。
【００９２】
このような偏光板５５が設けられた表示画面１５に表示された図９に示す深視力検査用視標１１ａを用いて被検眼１２ａ，１２ｂの深視力を検査する際、図８に示された赤緑眼鏡４９に代えて、図１１に示すように、第二偏光部分５７の偏光軸の方向と同一方向の偏光軸（図１１に矢印で示されている。）を有する右眼用フィルタ５８ａと第一偏光部分５６の偏光軸の方向と同一方向の偏光軸を有する左眼用フィルタ５８ｂとを有する偏光眼鏡５８が用いられる。
【００９３】
第一偏光部分５６を通過した光は、偏光軸の方向が第一偏光部分５６の偏光軸の方向と同一の左眼用フィルタ５８ｂを通過することはできるが、偏光軸の方向が異なる右眼用フィルタ５８ａを通過することはできない。他方、第二偏光部分５７を通過した光は、偏光軸の方向が第二偏光部分５７の偏光軸の方向と同一の右眼用フィルタ５８ａを通過することはできるが、偏光軸の方向が異なる左眼用フィルタ５８ｂを通過することはできない。このため、第一偏光部分５６を通過した光は、左眼用フィルタ５８ｂを通過して左眼１２ｂに達し、第二偏光部分５７を通過した光は、右眼用フィルタ５８ａを通過して右眼１２ａに達する。
【００９４】
従って、表示画面１５に表示された第一及び第二の各移動視標部５２，５４を偏光眼鏡５８の各フィルタ５８ａ，５８ｂを通して見たとき、右眼１２ａには、表示画面１５の領域のうち各第一偏光部分５６で覆われた部分すなわち第二の移動視標部５４の前記各部分５４ａは見えず、各第二偏光部分５７で覆われた部分すなわち第一の移動視標部５２の前記各部分５２ａが見える。他方、左眼１２ｂには、第一の移動視標部５２の前記各部分５２ａは見えず、第二の移動視標部５４の前記各部分５４ａが見える。これにより、図１１に示すように、二次元の画像である第一及び第二の各移動視標部５２，５４を融像することにより立体像５９が形成される。
【００９５】
第一及び第二の各移動視標部５２，５４をそれぞれ図９（ａ）乃至（ｄ）に示す順に表示画面１５の横方向に移動させると、前記した融像位置Ｐ（図１１参照。）が表示画面１５の前後方向に連続的に変化する。これにより、第一及び第二の各移動視標部５２，５４から形成される立体像５９の形成位置が第一及び第二の各移動視標部５２，５４の表示位置の変更により表示画面１５の前後方向に連続的に変化する。従って、偏光眼鏡５８の各フィルタ５８ａ，５８ｂを通して第一及び第二の各移動視標部５２，５４を見ている被検眼１２ａ，１２ｂには、立体像５９が表示画面１５の前後方向に移動しているように見える。
【００９６】
従って、被検眼１２ａ，１２ｂの深視力を測定する際、表示画面１５に表示された第一及び第二の各移動視標部５２，５４を被検眼１２ａ，１２ｂに各フィルタ５８ａ，５８ｂを通して見せた状態で第一及び第二の各移動視標部５２，５４の表示位置を変更させ、被検者１２に立体像５９が両側の二つの固定視標部５０と横並びになったと判断したときに確認操作スイッチ２８を操作させることにより、被検眼１２ａ，１２ｂの深視力の良否を判断することができる。
【００９７】
図１乃至図１１に示す例では、立体像Ｆ，５９が両側の二つの固定視標部３６，５０と横並びになったと判断したときに被検者１２に確認操作スイッチ２８を操作させる例を示したが、これに代えて、立体像Ｆ，５９が両側の二つの固定視標部３６，５０と横並びになったと判断したときにそのことを被検者１２が検者２１に伝えることができる手段であれば、確認操作スイッチ２８以外の手段を本発明に用いることができる。この場合、その新たな手段に応じて、各固定視標部３６，５０の位置に対する立体像Ｆ，５９の位置のずれ量の算出方法を適宜変更することができる。
【図面の簡単な説明】
【００９８】
【図１】本発明に係る検眼装置を概略的に示す斜視図である。
【図２】本発明に係る検眼装置を概略的に示すブロック図である。
【図３】本発明に係るコントローラを概略的に示す斜視図である。
【図４】（ａ）乃至（ｄ）は、それぞれ本発明に係る深視力検査用視標が表示画面に表示された状態を概略的に示す正面図である。
【図５】本発明に係る表示部の表示画面を概略的に示す正面図である。
【図６】被検眼の深視力検査を行うときの制御回路による制御作用を示すフローチャートである。
【図７】本発明に係る各移動視標部を赤緑眼鏡を用いて見たときに立体像が形成された状態を概略的に示す説明図である。
【図８】（ａ）乃至（ｄ）は、それぞれ本発明に係る各移動視標部が図４（ａ）乃至（ｄ）に示す状態におかれたときの融像位置を概略的に示す説明図である。
【図９】（ａ）乃至（ｄ）はそれぞれ図４に示す例とは別の実施例に係る深視力検査用視標が表示画面に表示された状態を概略的に示す正面図である。
【図１０】本発明に係る偏光板を概略的に示す正面図である。
【図１１】図９及び図１０に示す例において、本発明に係る第一及び第二の各移動視標部を偏光眼鏡を用いて見たときに立体像が形成された状態を概略的に示す説明図である。
【符号の説明】
【００９９】
１０  検眼装置
１１  視標
１２ａ，１２ｂ  被検眼
１５  液晶表示部（表示画面）
２４  制御部（制御回路）
３６，５０固定視標部
３７ａ，３７ｂ  移動視標部
５１，５３  切れ目
５２  第一の移動視標部
５４  第二の移動視標部
５５  偏光板
５６  第一偏光部分
５７  第二偏光部分
【図１】
2009060941.tif 000003
【図２】
2009060941.tif 000004
【図３】
2009060941.tif 000005
【図４】
2009060941.tif 000006
【図６】
2009060941.tif 000007
【図７】
2009060941.tif 000008
【図８】
2009060941.tif 000009
【図９】
2009060941.tif 000010
【図１０】
2009060941.tif 000011
【図１１】
2009060941.tif 000012
【図５】
2009060941.tif 000013